(57)【要約】【課題】  従来提供されているテントフレームを利用してテントの設置有効面積を拡張する。【解決手段】  四方に起立させた柱部材６の外部にそれぞれ延長梁部材３３の一端を枢支３２し、該延長梁部材３３と前記柱部材６間に設けられた外梁部材４の下側に位置する外端部間に揺動梁部材３６を設け、テントの組立及び折り畳み時に前記外梁部材３３に連動して前記延長梁部材３３が組立及び折り畳まれる構成。【選択図】図２
2014240576.tif 000002
【特許請求の範囲】
【請求項１】
四方に起立する柱部材（６）と、該柱部材（６）の間に配設される二本の棒材（３）をＸ字状に枢支した二組の外梁部材（４）の内端部同士を互いに連結して相互間に関節部（５）が形成された構造体と、該構造体の前記関節部と中央部のトップ支持具（８）間に枢支される内梁部材とからなる折り畳み式のテントフレームであり、前記それぞれの柱部材（６）の外部に一端（３１）が枢支（３２）された延長梁部材（３３）が放射状に設けられ、該延長梁部材（３３）の略中間部（３４）と前記外梁部材（４）の下側に位置する外端部（９）の略中間部（３５）間にそれぞれテント組立時に前記延長梁部材（３３）を支持する揺動梁部材（３６）が設けられてなることを特徴とするテントのフレーム構造。
【請求項２】
前記延長梁部材（３３）と前記揺動梁部材（３６）間の連結部（３８）及び該揺動梁部材（３６）と前記外梁部材（４）の下側に位置する外部端（９）間の連結部を自在継手としたことを特徴とする請求項１に記載のテントのフレーム構造。
【発明の詳細な説明】
【技術分野】
【０００１】
本発明は、日よけ、雨よけに使用されるテントフレーム構造に関する。
【背景技術】
【０００２】
従来、日よけ、雨よけに使用されるテントフレーム構造として、図４、図５に示す考案が提案されている。
【０００３】
前記テントフレーム構造は、二本の棒材３、３をＸ状に枢支した二組の外梁部材４、４の内端部同士を互いに連結して相互間に関節部５、５を形成する。この構造体を、等間隔で四隅に立設された四本の柱部材６、６、６、６の間に配設し、前記外梁部材４の上側に位置する外端部７、７を、前記各柱部材６の上端に設けたトップ連結具８に枢着する。
【０００４】
前記外梁部材４の下側に位置する外側端９、９は、前記各柱部材６に上下スライド自在に嵌装したスライド部材１０に枢着する。さらに前記外梁部材４と同一構成の内梁部材１１の外端部１２を、前記関節部５に枢支する。
【０００５】
前記内梁部材１１の下側に位置する内端部１３は、トップ柱１４の下端に構成されたトップ支柱連結具１５に枢支する。前記内梁部材１１の上側に位置する内端部１６は、トップ支持具１７に枢支する。該トップ支持具１７には、前記トップ柱１４が上下動自在に嵌挿される。
【０００６】
そして、図５に示すように、前記四本の柱部材６を集めると、前記スライド部材１０が前記各柱部材６に沿って下降し、前記関節部５が折り畳まれるとともに、前記トップ柱連結具１５が下降して前記柱部材６、外梁部材４、４、内梁部材１１等がそれぞれ束ねられた状態になりコンパクトに収納される。
【０００７】
テント組立時には、前記スライド部材１０が前記柱部材６の上部に固定される。該柱部材６に対する前記スライド部材１０の固定は、前記柱部材６の上部に前記スライド部材１０を固定するためのロック孔を設け、スライド部材１０に螺合したロックピンを適合させることにより行うことができる。
【０００８】
また、前記テントフレーム２をコンパクトに収納するため、前記柱部材６は伸縮自在に構成される。すなわち、前記各柱部材６は、上側に位置する外筒部材２１と、該外筒部材２１内に相対伸縮自在に嵌挿される内筒部材２２とで構成されている。
【０００９】
前記各柱部材６の下端、すなわち、前記内筒部材２２の下端には、地面に設置される板状の下敷き脚２３が固着されている。前記各柱部材６は、テントフレームの折り畳み収納時には最大収縮状態とされ、テント組立時には伸張されて所定の長さに固定される。図中、２５は前記各柱部材６の伸張状態を維持するロック装置である。
【先行技術文献】
【特許文献】
【００１０】
【特許文献１】実用新案登録第３１３３２６３号公報
【発明の概要】
【発明が解決しようとする課題】
【００１１】
前記構成のテントフレーム構造では、該テントフレームに被嵌させられるシートは、四隅に立設された四本の柱部材６のそれぞれ外周面と該柱部材６間に配置された外梁部材４のそれぞれ外側に垂下させられる。したがって、テントの設置効果面積は、前記四本の柱部材６で囲まれた矩形範囲に限られるものであった。
【００１２】
本発明は、前記構成のテントフレーム構造において、前記四本の柱部材６で囲まれた矩形範囲の外側にまでシートの張設を可能にしてテントの設置効果面積の拡張を図ることを目的とする。
【課題を解決するための手段】
【００１３】
前記課題を解決するため、本発明は、四方に起立する柱部材と、該柱部材の間に配設される二本の棒材をＸ字状に枢支した二組の外梁部材の内端部同士を互いに連結して相互間に関節部が形成された構造体と、該構造体の前記関節部と中央部のトップ支持具間に枢支される内梁部材と、からなる折り畳み式テントフレームであり、前記それぞれの柱部材の外部に一端が枢支された延長梁部材が放射状に設けられ、該延長梁部材の略中間部と前記外梁部材の下側に位置する外端部の略中間部間にそれぞれテント組立時に前記延長梁部材を支持する揺動梁部材を設けたことを特徴とする（請求項１）。
【００１４】
前記構成の本発明のテントフレームによれば、テントの組立時には前記延長梁部材がそれぞれの柱部材の外側に突出させられる。そして、予め、所定の大きさに構成したシートを被嵌し、該シートの周端部を前記延長梁部材のそれぞれ先端部に止着することにより、前記四本の柱部材で囲まれた矩形範囲の外側にまでシートが張設され、テントの設置効果面積が前記延長梁部材の先端部間をつなぐ矩形範囲にまで拡張される。
【００１５】
本発明の実施の一形態は、前記延長梁部材と前記揺動梁部材間の連結部及び該揺動梁部材と前記外梁部材の下側に位置する外端部間の連結部を自在継手としたことを特徴とする（請求項２）。
【００１６】
前記延長梁部材と前記揺動梁部材間の連結及び該揺動梁部材と前記外梁部材の下側に位置する外端部間の連結は、テントの組立及び折り畳みがスムースに行われるように自由度を持たせることが望まれる。
【００１７】
前記各連結は、ブラケットとボルトなどによる自由度を持たせた連結も可能であるが、予め、自在継手とすることによってテントの組立及び折り畳みがスムースに行われる。
【発明の効果】
【００１８】
本発明によれば、四本の柱部材で囲まれた矩形範囲の外側にまでシートが張設され、テントの設置効果面積が前記延長梁部材の先端間をつなぐ矩形範囲にまで拡張される。
【図面の簡単な説明】
【００１９】
【図１】本発明に係るテントの完成状態図である。
【図２】本発明の要部の斜視図である。
【図３】本発明の要部の方向を変えた斜視図である。
【図４】従来のテントフレームの斜視図である。
【図５】図４のテントフレームを半分程度折り畳んだ状態の斜視図である。
【発明を実施するための形態】
【００２０】
図１乃至図３の説明において、図４及び図５と同一部分には同一符号を付して説明する。図１に示すように、本発明では、四方に起立させた柱部材６で囲まれた矩形範囲の外側にまでシート３０が張設され、テントの設置効果面積が後述する延長梁部材３１の先端間をつなぐ矩形範囲にまで拡張される。
【００２１】
図２及び図３は図１のＡ部を示し、４は外梁部材、６は柱部材、７は前記外梁部材４の上側に位置する外端部、８は柱部材６の上端に設けられたトップ連結金具、９は前記外梁部材４の下側に位置する外端部、１０は前記柱部材６の前記トップ連結金具８の下方に上下スライド自在に設けられたスライド部材である。
【００２２】
本発明では、前記それぞれの柱部材６の外部に一端３１が枢着３２された延長梁部材３３が放射状に設けられる。
【００２３】
つぎに、前記延長梁部材３３の略中間部３４と前記外梁部材４の下側に位置する外端部９の略中間部３５間にそれぞれテント組立時に前記延長梁部材３３を支持する揺動梁部材３６が設けられる。図中、３７はシート固定部である
なお、前記延長梁部材３３と前記揺動梁部材３６との連結部３８及び前記揺動梁部材と前記外梁部材４の下側に位置する外端部９との連結部３９はテントの組立及び折り畳みがスムースに行えるように自由度をもたせて行われる。好ましくは可動方向に制限を受けない自在継手とされる。
【００２４】
前記構成の本発明は、テント組立時には前記延長梁部材３３がそれぞれの柱部材６の外側に突出させられ揺動梁部材３６によって支持される同時にシートが張設される。また、テントの折り畳み時にも支障が生じることがない。
【産業上の利用可能性】
【００２５】
従来提供されているテントフレームを利用してテントの設置有効面積を拡張することができ産業上の利用可能性は大である。
【符号の説明】
【００２６】
６    柱部材
４    外梁部材
９    外梁部材の下側に位置する外端部
３３  延長梁部材
３６  揺動梁部材
【図１】
2014240576.tif 000003
【図２】
2014240576.tif 000004
【図３】
2014240576.tif 000005
【図４】
2014240576.tif 000006
【図５】
2014240576.tif 000007